(57)【要約】【課題】  本発明は、商品価格の値引きを行う際に参考となる原価や値引き最低価格等の参照価格を、商品購入希望者にとっては容易に読み取ることができない状態で価格印字媒体に印字することができる印字装置、参照価格印字方法および価格印字媒体を提供することを課題とする。【解決手段】  参照価格変換部７は、変換処理確認部６から入力された変換順序および変換パラメータに基づいて、印字制御部４から入力された参照価格を変換文字列に変換し、変換した変換文字列を印字制御部４に出力する。印字制御部４は、入力部１から入力された商品名や商品価格と、参照価格変換部７から入力された変換文字列とを指定された印字フォーマットの商品名印字領域、商品価格印字領域および変換文字列印字領域に反映させ、当該印字フォーマットに基づいて印字部８を制御して価格印字媒体に印字を行う。【選択図】        図１
2005128653.tif 000002
【特許請求の範囲】
【請求項１】
商品価格を表記する価格印字媒体に印字を行う印字装置であって、
前記商品価格を値引く際の参考になる参照価格の入力を受け付ける入力手段と、
該入力手段から入力された前記参照価格を変換する変換処理が記憶されている変換処理記憶手段と、
該変換処理記憶手段に記憶されている前記変換処理を実行して前記参照価格を変換文字列に変換する参照価格変換手段と、
該参照価格変換手段によって変換された前記変換文字列を前記商品価格と共に前記価格印字媒体に印字する印字手段とを具備することを特徴とする印字装置。
【請求項２】
前記変換処理記憶手段には、複数の前記変換処理が記憶されており、
前記入力手段は、前記変換処理記憶手段に記憶されている前記変換処理を１つ又は複数指定する入力を受け付け、
前記参照価格変換手段は、前記入力手段からの入力によって指定された１つ又は複数の前記変換処理を順次実行して前記参照価格を前記変換文字列に変換することを特徴とする請求項１記載の印字装置。
【請求項３】
前記入力手段は、前記変換処理記憶手段に記憶されている前記変換処理に使用される変換パラメータの入力を受け付け、
前記参照価格変換手段は、前記入力手段から入力された変換パラメータを使用して前記変換処理記憶手段に記憶される前記変換処理を実行して前記参照価格を変換文字列に変換することを特徴とする請求項１又は２記載の印字装置。
【請求項４】
前記印字手段は、前記参照価格変換手段によって実行された前記変換処理を表す変換処理名を前記商品価格および前記変換文字列と共に印字することを特徴とする請求項１乃至３のいずれかに記載の印字装置。
【請求項５】
商品価格を表記する価格印字媒体に印字を行う参照価格印字方法であって、
前記商品価格を値引く際の参考になる参照価格の入力を受け付け、
該受け付けた参照価格を変換する変換処理を記憶しておき、
該記憶している前記変換処理を実行して前記参照価格を変換文字列に変換し、
該変換した前記変換文字列を前記商品価格と共に前記価格印字媒体に印字することを特徴とする参照価格印字方法。
【請求項６】
請求項５記載の参照価格印字方法によって前記変換文字列が前記商品価格と共に印字されていることを特徴とする価格印字媒体。
【発明の詳細な説明】
【技術分野】
【０００１】
本発明は、ラベルやタグ等の商品価格を表記する価格印字媒体に印字を行う印字装置に関し、特にラベルやタグ等の商品価格を表記する価格印字媒体に商品価格と共に原価等の参照価格を印字する印字装置、参照価格印字方法および価格印字媒体に関する。
【背景技術】
【０００２】
食品スーパー等の小売店においては、賞味期限のある生鮮食料品やタイムサービス品を値下げ販売することが行われており、値引きを行う商品には、ハンディーターミナルによって値下げのための価格ラベルを新たに貼付するのが一般的である（例えば、特許文献１参照）。
【０００３】
しかしながら、従来技術では、ラベルに表記されている内容からは、商品価格の値引きを行う際に参考となる原価や値引き最低価格等の参照価格を把握することができず、特に店頭で直接商品購入希望者との値引き交渉に応じて商品を販売する形態の販売店においては、ラベルに表記されている商品価格のみに基づいて値引き額や値引き率を決定しなければならないため、意図することなく原価割れで商品を販売してしまう可能性があるという問題点があった。
【０００４】
また、商品価格の値引きを行う際に参考となる原価や値引き最低価格等の参照価格をラベルに表記した場合には、商品購入希望者に参照価格を読み取られてしまうため、商品購入希望者の主導で商品価格が決定され、商品の販売に際して販売店側が不利になってしまうという問題点があった。
【特許文献１】特開２００１−２１６５６５号公報
【発明の開示】
【発明が解決しようとする課題】
【０００５】
本発明は斯かる問題点を鑑みてなされたものであり、その目的とするところは、商品価格の値引きを行う際に参考となる原価や値引き最低価格等の参照価格を、商品購入希望者にとっては容易に読み取ることができない状態で価格印字媒体に印字することができ、意図することなく原価割れで商品を販売してしまうことを防止することができ、また、商品購入希望者に参照価格を読み取られてしまうことがないため、販売店側の主導で商品価格を決定することができ、商品の販売に際して販売店側が不利になってしまうことがない印字装置、参照価格印字方法および価格印字媒体を提供する点にある。
【課題を解決するための手段】
【０００６】
本発明は上記課題を解決すべく、以下に掲げる構成とした。
【０００７】
請求項１記載の発明の要旨は、商品価格を表記する価格印字媒体に印字を行う印字装置であって、前記商品価格を値引く際の参考になる参照価格の入力を受け付ける入力手段と、該入力手段から入力された前記参照価格を変換する変換処理が記憶されている変換処理記憶手段と、該変換処理記憶手段に記憶されている前記変換処理を実行して前記参照価格を変換文字列に変換する参照価格変換手段と、該参照価格変換手段によって変換された前記変換文字列を前記商品価格と共に前記価格印字媒体に印字する印字手段とを具備することを特徴とする印字装置に存する。
また請求項２記載の発明の要旨は、前記変換処理記憶手段には、複数の前記変換処理が記憶されており、前記入力手段は、前記変換処理記憶手段に記憶されている前記変換処理を１つ又は複数指定する入力を受け付け、前記参照価格変換手段は、前記入力手段からの入力によって指定された１つ又は複数の前記変換処理を順次実行して前記参照価格を前記変換文字列に変換することを特徴とする請求項１記載の印字装置に存する。
また請求項３記載の発明の要旨は、前記入力手段は、前記変換処理記憶手段に記憶されている前記変換処理に使用される変換パラメータの入力を受け付け、前記参照価格変換手段は、前記入力手段から入力された変換パラメータを使用して前記変換処理記憶手段に記憶される前記変換処理を実行して前記参照価格を変換文字列に変換することを特徴とする請求項１又は２記載の印字装置に存する。
また請求項４記載の発明の要旨は、前記印字手段は、前記参照価格変換手段によって実行された前記変換処理を表す変換処理名を前記商品価格および前記変換文字列と共に印字することを特徴とする請求項１乃至３のいずれかに記載の印字装置に存する。
また請求項５記載の発明の要旨は、商品価格を表記する価格印字媒体に印字を行う参照価格印字方法であって、前記商品価格を値引く際の参考になる参照価格の入力を受け付け、該受け付けた参照価格を変換する変換処理を記憶しておき、該記憶している前記変換処理を実行して前記参照価格を変換文字列に変換し、該変換した前記変換文字列を前記商品価格と共に前記価格印字媒体に印字することを特徴とする参照価格印字方法に存する。
また請求項６記載の発明の要旨は、請求項５記載の参照価格印字方法によって前記変換文字列が前記商品価格と共に印字されていることを特徴とする価格印字媒体に存する。
【発明の効果】
【０００８】
本発明の印字装置、参照価格印字方法および価格印字媒体は、商品価格の値引きを行う際に参考となる原価や値引き最低価格等の参照価格を変換文字列に変換し、変換した変換文字列をラベルやタグ等の商品価格を表記する価格印字媒体に印字するように構成することによって、参照価格を商品購入者にとっては容易に読み取ることができない状態で価格印字媒体に印字することができ、意図することなく原価割れで商品を販売してしまうことを防止することができ、また、商品購入希望者に参照価格を読み取られてしまうことがないため、販売店側の主導で商品価格を決定することができ、商品の販売に際して販売店側が不利になってしまうことがないという効果を奏する。
【０００９】
さらに、本発明の印字装置、参照価格印字方法および価格印字媒体は、参照価格を変換文字列に変換する変換処理を複数記憶しておき、ユーザによって参照価格を変換文字列に変換する変換処理を１つもしくは複数選択できるように構成することによって、簡便な変換から複雑な変換まで状況に応じて指定することができ、利便性が向上するという効果を奏する。
【００１０】
さらに、本発明の印字装置、参照価格印字方法および価格印字媒体は、各変換処理をユーザが設定する変換パラメータを使用して行うように構成することによって、装置の取扱説明書等に参照価格を変換文字列に変換する変換処理を掲載し、外部（商品購入希望者）に参照価格が変換文字列に変換されて価格印字媒体に表記されていることが洩れたとしても、変換パラメータを変更し、変更した変換パラメータを店員のみに通達することによって、参照価格が商品購入希望者に読み取られることなく、店員のみが把握することができるという効果を奏する。
【発明を実施するための最良の形態】
【００１１】
以下、本発明の実施の形態を図面に基づいて詳細に説明する。
【００１２】
図１は、本発明に係る印字装置の実施の形態の構成を示すブロック図であり、図２は、図１に示すフォーマット記憶部に記憶されている印字フォーマット例を示す図であり、図３は、図１に示す変換処理記憶部に記憶されている変換処理例を示す図であり、図４は、図１に示す変換処理確認部に設定されている組み合わせルール例を示す図である。
【００１３】
本実施の形態は、ラベルやタグ等の商品価格を表記する価格印字媒体に印字を行う印字装置であり、図１を参照すると、入力部１と、表示部２と、フォーマット記憶部３と、印字制御部４と、変換処理記憶部５と、変換処理確認部６と、参照価格変換部７と、印字部８とからなる。
【００１４】
入力部１は、テンキー、キーボード等の入力手段であり、印字フォーマットを指定する印字フォーマット指定入力、商品名や商品価格の入力、原価や値引き最低価格等の参照価格の入力、参照価格を変換文字列に変換する変換処理を指定する変換処理指定入力、変換処理に使用される変換パラメータの入力等が行われる。
【００１５】
表示部２は、液晶ディスプレイ等の表示手段であり、入力部１から行われる各種入力のガイダンスを出力すると共に、変換処理指定入力で指定された変換処理の組み合わせが許容されていないと判断された場合には、変換処理指定の再入力を促すエラーガイダンスを出力する。
【００１６】
フォーマット記憶部３は、価格印字媒体に印字する様式、すなわち価格印字媒体への印字内容および印字レイアウトが設定されている印字フォーマット１０が複数記憶されているメモリ等の記憶手段であり、印字フォーマット１０には、例えば図２に示すように、商品名が印字される商品名印字領域１１、商品価格が印字される商品価格印字領域１２、変換文字列が印字される変換文字列印字領域１３、参照価格を変換文字列に変換する際に用いられた変換処理が印字される変換処理名印字領域１４等が設定されている。
【００１７】
印字制御部４は、入力部１から入力された参照価格を参照価格変換部７に、入力部１から入力された変換処理および変換パラメータを変換処理確認部６にそれぞれ出力すると共に、入力部１から入力された商品名や商品価格と、参照価格変換部７から入力された変換文字列および変換処理名とを指定された印字フォーマット１０の商品名印字領域１１、商品価格印字領域１２、変換文字列印字領域１３および変換処理名印字領域１４に反映させ、当該印字フォーマット１０に基づいて印字部８を制御して価格印字媒体に印字を行う。
【００１８】
変換処理記憶部５は、入力部１から入力された参照価格を変換するための複数の変換処理が記憶されており、変換処理記憶部５に記憶されている変換処理としては、例えば図３に示すように、丸め処理を行う変換処理Ａ、並べ替え処理を行う変換処理Ｂ、置き換え処理を行う変換処理Ｃ、特定数値加算処理を行う変換処理Ｄ、下位カット処理を行う変換処理Ｅ、ゼロ補填処理を行う変換処理Ｆ、記号補填処理を行う変換処理Ｇ等が考えられる。
【００１９】
丸め処理を行う変換処理Ａは、参照価格を変換パラメータとして設定された桁数および丸め方法（切り捨て、切り上げ、四捨五入）で変換する変換処理であり、例えば変換パラメータとして「２桁」および「四捨五入」が設定されている場合に、参照価格として「７６５０」が入力された場合には、変換文字列として「７７００」を出力する。
【００２０】
並べ替え処理を行う変換処理Ｂは、参照価格を変換パラメータとして設定された並べ替え順序で並べ替える変換処理であり、例えば変換パラメータとして「４桁」を「１桁」に、「３桁」を「２桁」に、「２桁」を「３桁」に、「１桁」を「４桁」にそれぞれ並べ替える設定がなされ、参照価格として「７６５０」が入力された場合には、変換文字列として「０５６７」を出力する。
【００２１】
置き換え処理を行う変換処理Ｃは、参照価格を変換パラメータとして設定された置き換え文字で置き換える変換処理であり、例えば変換パラメータとして「０、１、２、３、４、５、６、７、８、９」をそれぞれ「あ、い、う、え、お、か、き、く、け、こ」に置き換える設定がなされ、参照価格として「７６５０」が入力された場合には、変換文字列として「くきかあ」を出力する。
【００２２】
特定数値加算処理を行う変換処理Ｄは、参照価格のそれぞれの桁を変換パラメータとして設定された加算数値で加算する変換処理であり、例えば変換パラメータとして「５」が設定されている場合に、参照価格として「７６５０」が入力された場合には、変換文字列として「２１０５」を出力する。
【００２３】
下位カット処理を行う変換処理Ｅは、参考価格の下位のゼロを変換パラメータとして設定された桁数分カットし最下位にカットした数を表示する変換処理であり、例えば変換パラメータとして「３桁」が設定されている場合に、参照価格として「２１００００」が入力された場合には、変換文字列として「２１０３」を出力する。
【００２４】
ゼロ補填処理を行う変換処理Ｆは、参照価格を変換パラメータにより設定された桁数でゼロ補填する変換処理であり、例えば変換パラメータとして「６桁」が設定されている場合に、参照価格として「７６５０」が入力された場合には、変換文字列として「００７６５０」を出力する。
【００２５】
記号補填処理を行う変換処理Ｇは、参照価格に変換パラメータにより設定された補填記号を補填する変換処理であり、例えば変換パラメータとして「Ｎｏ．」が設定されている場合に、参照価格として「７６５０」が入力された場合には、変換文字列として「Ｎｏ．７６５０」を出力する。
【００２６】
変換処理確認部６は、図４に示すように、複数の変換処理を実行する際の変換順序を規制する変換順序規制情報と、変換処理の特定の組み合わせを規制する組み合わせ規制情報とからなる組み合わせルールが設定されており、複数の変換処理が指定されている場合には、組み合わせ規制情報に基づいて許容されている組み合わせか否かを判断し、許容されている組み合わせである場合には、変換順序規制情報に基づいて変換処理を実行する変換順序を決定し、決定した変換順序と印字制御部４から入力された変換パラメータとを参照価格変換部７に出力する。
【００２７】
なお、組み合わせルールは、予め設定されているものを使用するように構成しても、ユーザによって設定および変更できるように構成しても良い。なお、図４に示す組み合わせルール例では、変換順序規制情報として、丸め処理を行う変換処理Ａは、最初に実行すること、置き換え処理を行う変換処理Ｃは、変換処理Ｇを除くその他の変換処理の中では、最後に実行すること、記号補填処理を行う変換処理Ｇは、最後に実行することが定められている。
【００２８】
参照価格変換部７は、変換処理確認部６から入力された変換順序および変換パラメータに基づいて、印字制御部４から入力された参照価格を変換文字列に変換し、変換した変換文字列を印字制御部４に出力する。
【００２９】
印字部８は、例えば価格印字媒体を搬送するプラテンローラと、当該プラテンローラとの間に価格印字媒体を挟持して価格印字媒体に印字を行うサーマルヘッドとを備え、印字制御部４の制御に基づいてプラテンローラとサーマルヘッドを駆動して価格印字媒体に印字を行う。
【００３０】
次に、本実施の形態の動作について図５を参照して詳細に説明する。
【００３１】
図５は、本発明に係る印字装置の実施の形態の参照価格変換処理の動作を説明するためのフローチャートである。
【００３２】
入力部１から印字フォーマット指定入力と、商品名や商品価格の入力とがなされると（ステップＡ１）、印字制御部４は、指定された印字フォーマット１０をフォーマット記憶部３から読み出すと共に、指定された印字フォーマット１０が変換文字列印字領域１３を含む印字フォーマット１０か否を判断し（ステップＡ２）、指定された印字フォーマット１０が変換文字列印字領域１３を含まない場合には、参照価格変換処理を実行することなく、入力部１から入力された商品名や商品価格を指定された印字フォーマット１０に反映させ、当該印字フォーマット１０に基づいて印字部８を制御して価格印字媒体に印字を行う。
【００３３】
指定された印字フォーマット１０が変換文字列印字領域１３を含む場合には、印字制御部４は、表示部２に参照価格、変換処理および変換パラメータの入力を促すガイダンス表示を行う。入力部１から参照価格、変換処理および変換パラメータが入力されると（ステップＡ３、Ａ４）、入力部１から入力された参照価格を参照価格変換部７に、入力部１から入力された変換処理および変換パラメータを変換処理確認部６にそれぞれ出力する。
【００３４】
変換処理確認部６は、複数の変換処理が指定されている場合には、組み合わせ規制情報に基づいて許容されている組み合わせか否かを判断し（ステップＡ５）、指定されている複数の変換処理が許容されていない場合には、エラー信号を印字制御部４に出力し（ステップＡ６）、印字制御部４は、表示部２に変換処理指定の再入力を促すエラーガイダンスを出力し（ステップＡ７）、ステップＡ４に戻る。
【００３５】
許容されている組み合わせである場合には、変換処理確認部６は、変換順序規制情報に基づいて変換処理を実行する変換順序を決定し（ステップＡ８）、決定した変換順序と印字制御部４から入力された変換パラメータとを参照価格変換部７に出力する。
【００３６】
参照価格変換部７は、変換処理確認部６から入力された変換順序および変換パラメータに基づいて、印字制御部４から入力された参照価格を変換文字列に変換し（ステップＡ９）、変換した変換文字列を印字制御部４に出力する（ステップＡ１０）。
【００３７】
なお、指定された印字フォーマット１０に変換処理名印字領域１４が含まれている場合には、参照価格変換部７は、参照価格を変換文字列に変換した際に用いた変換処理名も変換文字列と共に印字制御部４に出力する。  
【００３８】
印字制御部４は、入力部１から入力された商品名や商品価格と、参照価格変換部７から入力された変換文字列および変換処理名とを指定された印字フォーマット１０の商品名印字領域１１、商品価格印字領域１２、変換文字列印字領域１３および変換処理名印字領域１４に反映させ、当該印字フォーマット１０に基づいて印字部８を制御して価格印字媒体に印字を行う。
【００３９】
なお、図２に示す印字フォーマット例では、変換パラメータを最大桁数：「６桁」としてゼロ補填処理を行う変換処理Ｆと、変換パラメータを加算数値：「５」として特定数値加算処理を行う変換処理Ｄと、変換パラメータを補填記号：「Ｎｏ．」記号補填処理を行う変換処理Ｇが実行され、参照価格として入力された「２６４５」が変換処理Ｆによって、「００２６４５」に変換され、さらに変換処理Ｄによって、「５５７１９０」に変換され、さらに変換処理Ｇによって、「Ｎｏ．５５７１９０」に変換された例が示されており、変換処理Ｆ、変換処理Ｄおよび変換処理Ｇによって変換文字列：「Ｎｏ．５５７１９０」が変換文字列印字領域１３に、参照価格を変換文字列に変換した際に用いた変換処理Ｆ、変換処理Ｄおよび変換処理Ｇが「ＦＤＧ」として変換処理名印字領域１４に反映されている状態を示している。
【００４０】
以上説明したように、本実施の形態によれば、参照価格変換部７によって入力部１から入力された参照価格を変換文字列に変換し、当該変換文字列を価格印字媒体に印字するように構成することによって、参照価格を商品購入者にとっては容易に読み取ることができない状態で価格印字媒体に印字することができ、意図することなく原価割れで商品を販売してしまうことを防止することができ、また、商品購入希望者に参照価格を読み取られてしまうことがないため、販売店側の主導で商品価格を決定することができ、商品の販売に際して販売店側が不利になってしまうことがないという効果を奏する。
【００４１】
さらに、本実施の形態によれば、変換処理記憶部５に参照価格を変換文字列に変換する変換処理を複数記憶しておき、参照価格を変換文字列に変換する変換処理をユーザが１つもしくは複数選択できるように構成することによって、簡便な変換から複雑な変換まで状況に応じて指定することができ、利便性が向上するという効果を奏する。
【００４２】
さらに、本実施の形態によれば、変換処理記憶部５に記憶されている各変換処理をユーザが設定する変換パラメータを使用して行うように構成することによって、装置の取扱説明書等に参照価格を変換文字列に変換する変換処理を掲載し、外部（商品購入希望者）に参照価格が変換文字列に変換されて価格印字媒体に表記されていることが洩れたとしても、変換パラメータを変更し、変更した変換パラメータを店員のみに通達することによって、参照価格が商品購入希望者に読み取られることなく、店員のみが把握することができるという効果を奏する。
【００４３】
なお、本実施の形態では、参照価格を変換文字列に変換する際に用いた変換処理を変換処理名印字領域１４に印字するように構成したが、変換処理を変換文字列に含めて印字するように構成しても良い。またこの場合には、変化処理方法の中の記号補填処理を行う変換処理Ｇの１つのバリエーションとして変換処理を変換文字列に含めて印字することを指定可能に構成すると好適である。
【００４４】
さらに、本実施の形態では、参照価格を変換文字列に変換する際に用いた変換処理を変換処理名印字領域１４に印字するように構成したが、変換処理名印字領域１４には、変換に使用した変換パラメータも印字するように構成しても良い。この場合には、変換処理と共に変換パラメータが価格印字媒体に表記されるため、ユーザは、価格印字媒体を見るだけで変換文字列から参照価格を正確に割り出すことができ、ユーザの利便性が向上する。
【図面の簡単な説明】
【００４５】
【図１】本発明に係る印字装置の実施の形態の構成を示すブロック図である。
【図２】図１に示すフォーマット記憶部に記憶されている印字フォーマット例を示す図である。
【図３】図１に示す変換処理記憶部に記憶されている変換処理例を示す図である。
【図４】図１に示す変換処理確認部に設定されている組み合わせルール例を示す図である。
【図５】本発明に係る印字装置の実施の形態の参照価格変換処理の動作を説明するためのフローチャートである。
【符号の説明】
【００４６】
１  入力部
２  表示部
３  フォーマット記憶部
４  印字制御部
５  変換処理記憶部
６  変換処理確認部
７  参照価格変換部
８  印字部
１０  印字フォーマット
１１  商品名印字領域
１２  商品価格印字領域
１３  変換文字列印字領域
１４  変換処理名印字領域
【図１】
2005128653.tif 000003
【図２】
2005128653.tif 000004
【図３】
2005128653.tif 000005
【図４】
2005128653.tif 000006
【図５】
2005128653.tif 000007